(57)【要約】【課題】  最適な再生環境でメインデータを再生する。【解決手段】  所定のメインデータと、メインデータが再生される環境とは異なる環境における空間の特性情報からなる空間特性データとが記録されてなる記録媒体１から、メインデータ及び空間特性データを読み出す読出部２０と、読出部２０で読み出された空間特性データに基づき、メインデータに所定の再生処理を行う処理部２５を備える。【選択図】  図４
2006030443.tif 000002
【特許請求の範囲】
【請求項１】
所定のメインデータと、
上記メインデータが再生される環境とは異なる環境における空間の特性情報からなる空間特性データとが記録されてなることを特徴とする記録媒体。
【請求項２】
上記メインデータは、映像データ又は音楽データであることを特徴とする請求項１記載の記録媒体。
【請求項３】
上記空間特性データは、上記メインデータが再生される環境とは異なる環境における空間の音に関する反射特性及び／又は残響特性を含むことを特徴とする請求項１記載の記録媒体。
【請求項４】
複数の異なる上記空間特性データが記録されていることを特徴とする請求項１記載の記録媒体。
【請求項５】
上記空間特性データは、上記メインデータを記録したときの環境における空間の特性情報からなることを特徴とする請求項１記載の記録媒体。
【請求項６】
上記空間特性データの識別データが記録されてなる請求項１記載の記録媒体。
【請求項７】
上記識別データは、上記メインデータが再生される任意の再生環境に関する所在地及び／又は名称であることを特徴とする請求項６記載の記録媒体。
【請求項８】
所定のメインデータと、上記メインデータが再生される環境とは異なる環境における空間の特性情報からなる空間特性データとを多重化する多重化手段と、
上記多重化手段で多重化されたデータに所定の処理を行う処理手段と、
上記処理手段で処理されたデータを記録媒体に記録する記録手段とを備えることを特徴とする記録装置。
【請求項９】
所定のメインデータと、上記メインデータが再生される環境とは異なる環境における空間の特性情報からなる空間特性データとを多重化する多重化工程と、
上記多重化工程で多重化されたデータに所定の処理を行う処理工程と、
上記処理工程で処理されたデータを記録媒体に記録する記録工程とを有することを特徴とする記録方法。
【請求項１０】
所定のメインデータと、上記メインデータが再生される環境とは異なる環境における空間の特性情報からなる空間特性データとが記録されてなる記録媒体から、上記メインデータ及び上記空間特性データを読み出す読出手段と、
上記読出手段で読み出された上記空間特性データに基づき、上記メインデータに所定の再生処理を行う処理手段を備えることを特徴とするデータ処理装置。
【請求項１１】
所定のメインデータと、上記メインデータが再生される環境とは異なる環境における空間の特性情報からなる空間特性データとが記録されてなる記録媒体から、上記メインデータ及び上記空間特性データを読み出す読出工程と、
上記読出工程で読み出された上記空間特性データに基づき、上記メインデータに所定の再生処理を行う処理工程を有することを特徴とするデータ処理方法。
【請求項１２】
複数のメインデータが格納されてなる第１のデータベースと、
上記メインデータが再生される環境とは異なる環境における空間特性情報からなる空間特性データが格納されてなる第２のデータベースと、
上記第１のデータベースから所定のメインデータを選択する選択手段と、
上記選択手段で選択されたメインデータを上記第１のデータベースから読み出す第１の読出手段と、
上記第１の読出手段により読み出されたメインデータに関連付けられている空間特性データを上記第２のデータベースから読み出す第２の読出手段と、
上記第１の読出手段により読み出されたメインデータ及び上記第２の読出手段で読み出された空間特性データを一体にして出力する出力手段を備えることを特徴とするデータ出力装置。
【請求項１３】
複数のメインデータが格納されている第１の記憶部から所定のメインデータを読み出す第１の読出工程と、
メインデータが再生される環境とは異なる環境における空間の特性情報からなる空間特性データが格納されている第２の記憶部から、上記第１の読出工程で読み出されるメインデータに関連付けられている空間特性データを読み出す第２の読出工程と、
上記第１の読出工程により読み出されたメインデータ及び上記第２の読出工程により読み出された空間特性データを一体にして出力する出力工程とを有することを特徴とするデータ出力方法。
【発明の詳細な説明】
【技術分野】
【０００１】
本発明は、メインデータと、所定の環境パラメータが記録された記録媒体と、当該記録媒体に記録されているメインデータ及び所定の環境パラメータを読み出し、再生処理するデータ再生装置及び方法に関する。
【背景技術】
【０００２】
クラシックやジャズやポップス等の音楽コンサート、またオペラや演劇系のコンサートでは、開催される会場によって、音の残響特性や反射特性等の空間音響特性が異なるため、同じアーティストによる演奏であっても、会場毎に異なる雰囲気が醸し出される。また、ユーザは、実際にその演奏会場に足を運ぶか、又は、コンサートを録音した音源を再生することにより会場毎の雰囲気を体感することができる。
【０００３】
例えば、特許文献１には、所定の場所の音場の応答特性を所望の特性に補正する方法が記載されている。また、特許文献２には、所定の会場の残響成分を、後続する残響成分に重畳して測定する方法について記載されている。
【０００４】
また、音響装置では、従来から各種の音場を模擬して、録音された音楽信号（メインデータ）に残響成分を付加するＡＶアンプやサラウンドプロセッサが搭載されている。
【０００５】
【特許文献１】特開平６−３２７０８９号公報
【特許文献２】特開２００３−２６３１７９号公報
【発明の開示】
【発明が解決しようとする課題】
【０００６】
ところで、ユーザは、国内のある歌劇場で行われたオペラを海外の著名な歌劇場（例えば、イタリアのミラノスカラ座やパリのオペラ座）で体験してみたいという欲求がある。また、ユーザは、スタジオで録音された音楽を所定のライブ会場の雰囲気で体感してみたいという欲求もある。
【０００７】
そこで、本発明は、上述した課題を解決するために、メインデータと、当該メインデータに関する複数の空間パラメータが記録されている記録媒体と、メインデータと、当該メインデータに関する複数の空間パラメータを媒体に記録する記録装置及び方法と、メインデータと、当該メインデータに関する複数の空間パラメータを媒体から読み出すデータ処理装置及び方法と、ネットワークを介して、メインデータと、当該メインデータに関する複数の空間パラメータをユーザに提供するデータ出力装置及び方法を提供する。
【課題を解決するための手段】
【０００８】
本発明に係る記録媒体は、上述の課題を解決するために、所定のメインデータと、上記メインデータが再生される環境とは異なる環境における空間の特性情報からなる空間特性データとが記録されてなる。
【０００９】
また、本発明に係る記録装置は、上述の課題を解決するために、所定のメインデータと、上記メインデータが再生される環境とは異なる環境における空間の特性情報からなる空間特性データとを多重化する多重化手段と、上記多重化手段で多重化されたデータに所定の処理を行う処理手段と、上記処理手段で処理されたデータを記録媒体に記録する記録手段とを備える。
【００１０】
また、本発明に係る記録方法は、上述の課題を解決するために、所定のメインデータと、上記メインデータが再生される環境とは異なる環境における空間の特性情報からなる空間特性データとを多重化する多重化工程と、上記多重化工程で多重化されたデータに所定の処理を行う処理工程と、上記処理工程で処理されたデータを記録媒体に記録する記録工程とを有する。
【００１１】
また、本発明に係るデータ処理装置は、上述の課題を解決するために、所定のメインデータと、上記メインデータが再生される環境とは異なる環境における空間の特性情報からなる空間特性データとが記録されてなる記録媒体から、上記メインデータ及び上記空間特性データを読み出す読出手段と、上記読出手段で読み出された上記空間特性データに基づき、上記メインデータに所定の再生処理を行う処理手段を備える。
【００１２】
また、本発明に係るデータ処理方法は、上述の課題を解決するために、所定のメインデータと、上記メインデータが再生される環境とは異なる環境における空間の特性情報からなる空間特性データとが記録されてなる記録媒体から、上記メインデータ及び上記空間特性データを読み出す読出工程と、上記読出工程で読み出された上記空間特性データに基づき、上記メインデータに所定の再生処理を行う処理工程を有する。
【００１３】
また、本発明に係るデータ出力装置は、上述の課題を解決するために、複数のメインデータが格納されてなる第１のデータベースと、上記メインデータが再生される環境とは異なる環境における空間特性情報からなる空間特性データが格納されてなる第２のデータベースと、上記第１のデータベースから所定のメインデータを選択する選択手段と、上記選択手段で選択されたメインデータを上記第１のデータベースから読み出す第１の読出手段と、上記第１の読出手段により読み出されたメインデータに関連付けられている空間特性データを上記第２のデータベースから読み出す第２の読出手段と、上記第１の読出手段により読み出されたメインデータ及び上記第２の読出手段で読み出された空間特性データを一体にして出力する出力手段を備える。
【００１４】
さらに、本発明に係るデータ出力方法は、上述の課題を解決するために、複数のメインデータが格納されている第１の記憶部から所定のメインデータを読み出す第１の読出工程と、メインデータが再生される環境とは異なる環境における空間の特性情報からなる空間特性データが格納されている第２の記憶部から、上記第１の読出工程で読み出されるメインデータに関連付けられている空間特性データを読み出す第２の読出工程と、上記第１の読出工程により読み出されたメインデータ及び上記第２の読出工程により読み出された空間特性データを一体にして出力する出力工程とを有する。
【発明の効果】
【００１５】
本発明では、ユーザは、楽曲や映画の音声を様々な劇場や、ホール、ライブ会場、教会、屋外等を前提として聴くことができる。記録媒体には、制作者側がセレクトした種々の空間特性データが記録されているので、ユーザは、同じ音楽ソースでも任意の空間特性データを選択して、様々な環境で音楽や映画を鑑賞することができる。
【発明を実施するための最良の形態】
【００１６】
以下、本発明の実施の形態として、所定のデータが記録されている記録媒体と、当該記録媒体に所定のデータを記録する記録装置と、当該記録媒体に記録されているデータを再生処理する再生装置について以下に説明する。
【００１７】
記録媒体１は、メインデータと、当該メインデータが再生される際の所定の再生環境における空間の特性情報からなる空間特性データが記録されている。メインデータは、映像データ又は音楽データである。記録媒体１が、例えば、図１に示すように、リードインエリアＡ１と、プログラムエリアＡ２と、リードアウトエリアＡ３からなるディスク状記録媒体であれば、メインデータと空間特性データは、プログラムエリアＡ２に記録される。
【００１８】
また、空間特性データは、メインデータ（音楽データ）が再生される所定の再生環境における空間の音に関する反射特性や、残響特性を含んでおり、例えば、近接４点法による測定結果から生成される。
【００１９】
ここで、近接４点法について説明する。近接４点法は、コンサートホールや、ライブ会場や、教会や、屋外等の音場の空間情報を測定する方法の一つであり、同一平面上にない４点（通常の測定では原点と、直交３軸上原点から５ｃｍ程度の距離にある３点）に配置したマイクロホンでインパルス応答を収録し、その時間構造のわずかな違いに着目して、同一反射音の到来時刻を相関処理等で求め、４つの受音点からの距離や到来方向を計算し、等価的な反射音・仮想音源の位置を決定する方法である。
【００２０】
また、近接４点法は、図２のフローチャートに示すように、各環境の空間における基準信号のマイク収音による波形記憶を行い（ステップＳＴ１）、収音波形に基づく特性パラメータ計算、例えば、残響特性や反射特性等の計算や相関処理を行い（ステップＳＴ２）、各空間の空間特性データの算出を行う（ステップＳＴ３）。
【００２１】
また、記録媒体１は、複数の異なる空間特性データが記録されていても良い。なお、同一の環境内であっても聴く場所によって、空間特性データは異なるので、同一の環境内における異なる場所で測定されて得られた空間特性データが複数個、記録媒体１に記録されていても良い。さらに、記録媒体１は、空間特性データの識別データとして、空間特性データを生成した場所の所在地及び／又は名称を有していても良い。
【００２２】
また、空間特性データは、上述した音に関する残響特性や反射特性の代わりに、演奏者（音源）の位置、コンサートホール内の壁面や天井などの位置やサイズ、反射率特性や吸音率特性、収音マイクの位置などから構成されても良い。この場合には、これらの情報から残響特性や反射特性などを算出する演算処理部を後述する再生装置３の分離処理部２３（図４）内に備えるものとする。
【００２３】
また、空間特性データは、映像データに付加する照明用のデータや、オブジェクトや、背景情報等を含んでおり、例えば、パーソナルコンピュータにより生成する。
【００２４】
また、記録媒体１は、図３に示すような記録装置２によってデータの記録が行われる。以下に、記録装置２の構成と動作について説明する。記録装置１は、図３に示すように、データが入力されるデータ入力部１０と、データ入力部１０を介して入力されたデータを多重化処理する多重化処理部１１と、多重化処理部１１で多重化処理されたデータにエラー訂正符号化処理を行うエラー訂正符号化部１２と、エラー訂正符号化部１２でエラー訂正符号化処理されたデータに所定の変調を行う変調部１３と、変調部１３により変調されたデータを記録媒体１に記録する記録部１４を備える。
【００２５】
データ入力部１０は、映像データが入力される映像データ入力部と、音楽データが入力される音楽データ入力部と、空間特性データが入力される空間特性データ入力部と、アドレスデータが入力されるアドレスデータ入力部とを備えており、各入力部を介して入力されたデータを多重化処理部１１に供給する。また、データ入力部１０は、異なる複数の空間特性データを入力させるために、複数の空間特性データ入力部を備えていても良い。
【００２６】
多重化処理部１１は、入力部を介して入力されたアドレスデータにしたがって、入力された映像データ、音楽データ、空間特性データを多重化処理し、エラー訂正符号化部１２に供給する。
【００２７】
記録部１４は、変調部１３により変調されたデータを記録する記録媒体の種類に応じてデータの記録動作を行う。
【００２８】
このようにして本発明に係る記録装置２は、入力されたメインデータと、当該メインデータが再生される環境とは異なる環境における空間特性データを多重化処理し、多重化処理されたデータに所定の処理を行って記録媒体１に記録する。
【００２９】
また、上述した記録媒体１に記録されているデータを再生する再生装置の構成について以下に述べる。なお、記録媒体１には、スタジオで録音した音楽データと、上述した近接４点法により測定された著名な第１のホールにおける空間特性データＡと、第２のホールにおける空間特性データＢと、第３のホールにおける空間特性データＣがプログラム領域に記録されているものとする。
【００３０】
再生装置３は、図４に示すように、記録媒体１のプログラム領域からデータを読み出す読出部２０と、読み出したデータを復調処理する復調部２１と、データにエラー訂正処理を行うエラー訂正部２２と、音楽データと空間特性データを分離処理する分離処理部２３と、複数の空間特性データＡ，Ｂ，Ｃの中から一の空間特性データを選択する選択部２４と、音楽データに空間特性データを加算又は減算処理を行う加減算処理部２５と、音楽データをアナログ信号に変換するＤＡ変換部２６とを備える。
【００３１】
読出部２０は、記録媒体１を回転駆動する回転駆動部３０と、記録媒体１からデータを読み出す光学部３１と、光学部３１により読み出されたデータに基づき各種データを生成するＲＦ部３２と、ＲＦ部３２から供給されたデータに基づき回転駆動部３０の回転動作と、光学部３１の動作を制御する制御部３３とを有する。
【００３２】
選択部２４は、分離処理部２３で分離された空間特性データＡ，Ｂ，Ｃの中からユーザの操作に応じて一の空間特性データを選択し、選択した空間特性データを加減算処理部２５に供給する。
【００３３】
加減算処理部２５は、ユーザの操作に応じて、分離処理部２３から供給された音楽データに選択部２４から供給された空間特性データを音楽データに加算又は減算処理を行い、加算又は減算処理後の音楽データをＤＡ変換部２６に供給する。
【００３４】
ここで、例えば、第１のホールで収録された音楽データ、つまり、第１のホールの空間特性データＡが付加されている音楽データが記録媒体１に記録されている場合に、当該音楽データを、空間特性データＢをもつ第２のホールで演奏されたものとして出力するときの再生装置３の動作について図５に示すフローチャートにしたがって以下に説明する。
【００３５】
ユーザは、記録媒体１に記録されているデータの再生を命ずるための所定の操作を行う（ステップＳＴ１０）。読出部２０は、ユーザの操作に応じて、記録媒体１からデータを読み出し、読み出したデータを復調部２１に供給する（ステップＳＴ１１）。復調部２１は、読出部２０から供給されたデータに所定の復調処理を行い、復調後のデータをエラー訂正部２２に供給する（ステップＳＴ１２）。エラー訂正部２２は、復調部２１から供給されたデータにエラー訂正処理を行い、エラー訂正処理後のデータを分離処理部２３に供給する（ステップＳＴ１３）。分離処理部２３は、エラー訂正処理後のデータに基づき、音楽データと、空間特性データを分離処理し、音楽データを加減算処理部２５に供給し、空間特性データを選択部２４に供給する（ステップＳＴ１４）。選択部２４は、ユーザの操作に応じて、空間特性データＡと、空間特性データＢが選択される（ステップＳＴ１５）。
【００３６】
加減算処理部２５は、分離処理部２３から供給された音楽データから、選択部２４から供給された空間特性データＡを減算（除去）処理し、減算処理後の音楽データに、空間特性データＢを加算（付加）処理し、処理後の音楽データをＤＡ変換部２６に供給する（ステップＳＴ１６）。ＤＡ変換部２６は、加減算処理部２５から供給された音楽データをアナログ変換し、変換後の音楽データを出力する（ステップＳＴ１７）。
【００３７】
したがって、再生装置３は、一の空間特性データが付加されている音楽データから当該一の空間特性データを減算（除去）し、音楽データに他の空間特性データＢを加算（付加）して出力することができる。
【００３８】
このようにして本発明に係る再生装置３は、記録媒体１に記録されているデータを読み出し、読み出したデータに所定の処理を行い、処理後のデータからメインデータと、空間特性データを分離し、分離された空間特性データの中から所定の空間特性データを選択し、選択された空間特性データをメインデータに加算（付加）又は減算（除去）処理し、所定の空間特性データが加算（付加）又は減算（除去）された音楽データを出力するので、音楽データの再生環境として制作者が用意した空間特性データにより再現される様々な環境で音楽を鑑賞することができる。
【００３９】
なお、再生装置３は、選択された空間特性データＢから、メインデータから分離された空間特性データＡを差し引いて差分空間特性データＣを生成し、空間特性データＡが付加されているメインデータに対してこの差分空間特性データＣをさらに付加して再生用の音楽データを出力するようにしてもよい。
【００４０】
また、記録媒体１に記録されているメインデータは、映画等の映像データであっても良い。この場合には、空間特性データとして、映像データに所定の効果を与えるデータを記録媒体１に記録しておく。
【００４１】
このようにして、本願発明によれば、ユーザは、楽曲や映画の音声を様々な劇場や、ホール、ライブ会場、教会、屋外等を前提として聴くことができる。記録媒体１には、制作者側がセレクトした種々の空間特性データが記録されているので、ユーザは、同じ音楽ソースでも任意の空間特性データを選択して、様々な環境で音楽や映画を鑑賞することができる。
【００４２】
また、空間特性データは、記録媒体１に記録されていなくても良く、インターネットに接続されているデータベースに格納されていても良い。この場合には、ユーザの要求に応じてデータベースに格納されている空間特性データの中から所定の空間特性データをダウンロードさせるシステムとなる。
【００４３】
ここで、空間特性データ提供システム４について説明する。空間特性データ提供システム４は、図６に示すように、複数の音楽データと、複数の空間特性データが格納されてなるデータベース５と、ネットワークを介してデータベースからダウンロードした音楽データを、空間特性データに基づき再生処理する再生装置３とからなる。なお、空間特性データ提供システム４で使用される再生装置３の構成については上述したとおりであるので、詳細な説明は省略する。
【００４４】
データベース５は、複数の音楽データが格納されている音楽データベースａと、所定の測定方法により得られた複数の空間特性データが格納されている空間特性データベースｂとからなる。また、空間特性データベースｂに格納されている空間特性データは、音楽データベースａに格納されている各音楽データに関連付けられている。
【００４５】
ここで、空間特性データ提供システム４によりユーザが音楽データをダウンロードする手順について図７に示すフローチャートにしたがって説明する。
【００４６】
ステップＳＴ２０において、再生装置３は、ユーザの操作に応じて、データベース５に所定の音楽データを供給するように命令する。ユーザは、再生装置３を操作し、ネットワークを介して接続されているデータベース５から所望する音楽データのダウンロードを行う。
【００４７】
ステップＳＴ２１において、データベース５は、音楽データのダウンロードの要求にしたがって、音楽データと、当該音楽データに関連する空間特性データを出力する。データベース５では、予め、制作者により各音楽データに対して、複数の空間特性データが関連付けられている。なお、空間特性データ提供システム４では、関連付けられている空間特性データのすべてをユーザにダウンロードさせる構成であっても良いし、また、関連付けられている空間特性データの中から任意の空間特性データのみをユーザに選択させてダウンロードさせる構成であっても良い。
【００４８】
ステップＳＴ２２において、再生装置３は、データベース５からダウンロードされた空間特性データに基づいて、音楽データの再生処理を行う。
【００４９】
また、空間特性データ提供システム４は、ステップＳＴ２０の工程において、音楽データのダウンロードに際して、課金工程を導入しても良い。課金工程では、音楽データを一つダウンロードさせるごとに課金するシステムであっても良いし、空間特性データの数に応じて料金を変動するシステムであっても良い。
【００５０】
このようにして、本発明にかかる空間特性データ提供システム４は、ネットワークを介して接続されているデータベース５から、ユーザが所望する音楽データを、当該音楽データの空間特性データとともに提供し、ユーザ所有の再生装置３により空間特性データに基づいて音楽データを再生するので、音楽データの再生環境として制作者が用意した空間特性データにより再現される様々な環境で音楽を鑑賞することができる。
【００５１】
なお、データベース５に格納されているデータは、音楽データ以外でも良く、例えば、映画等の映像データであっても良い。この場合には、空間特性データとして、映像データに所定の効果を与えるデータを空間特性データベースｂに格納しておく。
【図面の簡単な説明】
【００５２】
【図１】本願発明に係る記録媒体の模式図である。
【図２】近接４点法による空間特性データの測定手順を示すフローチャートである。
【図３】本願発明に係る記録装置の構成を示すブロック図である。
【図４】本願発明に係る再生装置の構成を示すブロック図である。
【図５】図４に示す再生装置の動作の一例の説明に供するフローチャートである。
【図６】本願発明に係る空間特性データ提供システムの構成を示す図である。
【図７】図６に示す空間特性データ提供システムの動作の一例の説明に供するフローチャートである。
【符号の説明】
【００５３】
１  記録媒体、２  記録装置、３  再生装置、４  空間特性データ提供システム、５  データベース、１０  データ入力部、１１  多重化処理部、１２  エラー訂正符号化部、１３  変調部、１４  記録部、２０  読出部、２１  復調部、２２  エラー訂正部、２３  分離処理部、２４  選択部、２５  加減算処理部、２６  ＤＡ変換部
【図１】
2006030443.tif 000003
【図２】
2006030443.tif 000004
【図３】
2006030443.tif 000005
【図４】
2006030443.tif 000006
【図５】
2006030443.tif 000007
【図６】
2006030443.tif 000008
【図７】
2006030443.tif 000009